(57)【要約】【解決手段】中仕切り部材Ｐを構成する連結体２に形成された、箱型に組み立てられた状態から先に倒される一方の側壁ｃ３側に位置する側壁側雌ヒンジ部材Ｈ４と、先に倒される側壁に形成された中仕切り部材側雄ヒンジ部材Ｈ１とをヒンジ連結するとともに、中仕切り部材を構成する中仕切り本体に形成された中仕切り本体側雄ヒンジ部材Ｈ２と、中仕切り部材を構成する連結体に形成された連結体側雌ヒンジ部材Ｈ３とをヒンジ連結するようにした中仕切り部材付き折り畳みコンテナーに関するものである。【効果】中仕切り部材に触れることなく、箱型に組み立てられた状態から先に倒される側壁を、底部方向に倒すことができ、従って、中仕切り部材付き折り畳みコンテナーの折り畳み作業の作業性が向上する。【選択図】図７
2011116416.tif 000002
【特許請求の範囲】
【請求項１】
底部と該底部の相対する一方の土手部にヒンジ連結された相対する一方の側壁と前記底部の相対するもう一方の土手部にヒンジ連結された相対するもう一方の側壁と折り畳みコンテナー本体と中仕切り部材とからなり、箱型に組み立てられた状態から、先ず最初に、相対する一方の側壁を、底部方向に倒し、次いで、もう一方の側壁を、底部方向に倒すことにより、折り畳むように構成された中仕切り部材付き折り畳みコンテナーにおいて、前記中仕切り部材を構成する連結体に形成された、箱型に組み立てられた状態から先に倒される前記一方の側壁側に位置する側壁側雌ヒンジ部材と、前記先に倒される側壁に形成された中仕切り部材側雄ヒンジ部材とがヒンジ連結されているとともに、前記中仕切り部材を構成する中仕切り本体に形成された中仕切り本体側雄ヒンジ部材と、前記中仕切り部材を構成する連結体に形成された連結体側雌ヒンジ部材とがヒンジ連結されていることを特徴とする中仕切り部材付き折り畳みコンテナー。
【請求項２】
前記中仕切り部材を構成する中仕切り本体の中仕切り本体側雄ヒンジ部材と前記中仕切り部材を構成する連結体の連結体側雌ヒンジ部材とのヒンジ連結部が、前記中仕切り部材を構成する連結体に形成された、箱型に組み立てられた状態から先に倒される前記一方の側壁側に位置する側壁側雌ヒンジ部材と前記箱型に組み立てられた状態から先に倒される前記一方の側壁に形成された中仕切り部材側雄ヒンジ部材とのヒンジ連結部より、下方に位置するように構成されていることを特徴とする請求項１に記載の中仕切り部材付き折り畳みコンテナー。
【請求項３】
前記中仕切り部材を構成する連結体に形成された側壁側雌ヒンジ部材の略円筒状部のスリットに、先に倒される側壁に形成された中仕切り部材側雄ヒンジ部材の雄杆を、下方から嵌入するように構成されていることを特徴とする請求項１又は請求項２に記載の中仕切り部材付き折り畳みコンテナー。
【発明の詳細な説明】
【技術分野】
【０００１】
本発明は、底部と、底部の相対する一方の土手部にヒンジ連結された相対する一方の側壁と、底部の相対するもう一方の土手部にヒンジ連結された相対するもう一方の側壁とからなり、箱型に組み立てられた状態から、相対する一方の側壁を、底部に重なるように倒し、次いで、もう一方の側壁を、先に倒された前記相対する一方の側壁に重なるように倒すことにより、折り畳むように構成された折り畳みコンテナーの内部を仕切る中仕切り部材が配設された中仕切り部材付き折り畳みコンテナーに関するものである。このような形式の折り畳みコンテナーは、所謂、内倒れ式折り畳みコンテナーと称されている。
【背景技術】
【０００２】
従来、上部枠の相対する一方の短辺枠に、上端部がヒンジ連結されているはね上げ側壁と、上部枠の相対するもう一方の長辺枠に、配設された上部分割側壁部と下部分割側壁部とからなる分割側壁とを有する折り畳みコンテナー内に、中仕切り部材を取り付けた折り畳みコンテナーが、特許文献１に開示されている。箱型に組み立てられた状態から、このような折り畳みコンテナーを折り畳むには、先ず最初に、はね上げ側壁を、略水平状態となるように上方にはね上げ、次いで、分割側壁を構成する上部分割側壁部と下部分割側壁部とが、互いに重なるように折り畳むことにより、折り畳みコンテナーを折り畳むように構成されており、このような形式の折り畳みコンテナーは、所謂、はね上げ側壁・分割側壁式折り畳みコンテナーと称されている。
【先行技術文献】
【特許文献】
【０００３】
【特許文献１】実開平０２−３１８２８号公報
【発明の概要】
【発明が解決しようとする課題】
【０００４】
上述した従来のはね上げ側壁・分割側壁式折り畳みコンテナーを折り畳む際には、先ず最初に、上下動自在な中仕切り部材を、上部枠付近まで上動させた後、分割側壁を構成する上部分割側壁部と下部分割側壁部とが、互いに重なるように折り畳むように構成されており、従って、はね上げ側壁・分割側壁式折り畳みコンテナーを折り畳む際には、中仕切り部材の上動工程と分割側壁の折り畳み工程との２工程が必要であり、はね上げ側壁・分割側壁式折り畳みコンテナーの折り畳む作業の作業性が悪いという問題があった。
【０００５】
また、上述した従来のはね上げ側壁・分割側壁式折り畳みコンテナーにおいては、上下動自在な中仕切り部材の上動は、上部枠の相対する長辺枠に突設されたストッパにより、その上動が制限されるように構成されているが、箱型に組み立てられた状態の分割側壁は、外側に膨出変形しやすく、従って、中仕切り部材が、ストッパを越えて、上方に移動し、中仕切り部材としての機能が果たせなくなるという問題があった。更に、はね上げ側壁・分割側壁式折り畳みコンテナーが箱型に組み立てられた状態においては、中仕切り部材と上部枠の相対する長辺枠に突設されたストッパとの間の空間が広いために、中仕切り部材のガタツキが大きく、中仕切り部材が上方に大きく移動するという問題があった。
【０００６】
更に、中仕切り部材の上動を制限しているのは、ストッパだけであるので、中仕切り部材が、はね上げ側壁・分割側壁式折り畳みコンテナーから外れ易く、中仕切り部材が、紛失するという問題があった。
【０００７】
本発明の目的は、上述した従来の発明が有する課題を解決することにある。
【課題を解決するための手段】
【０００８】
本発明は、上述した目的を達成するために、底部と該底部の相対する一方の土手部にヒンジ連結された相対する一方の側壁と前記底部の相対するもう一方の土手部にヒンジ連結された相対するもう一方の側壁と折り畳みコンテナー本体と中仕切り部材とからなり、箱型に組み立てられた状態から、先ず最初に、相対する一方の側壁を、底部方向に倒し、次いで、もう一方の側壁を、底部方向に倒すことにより、折り畳むように構成された中仕切り部材付き折り畳みコンテナーにおいて、第１には、前記中仕切り部材を構成する連結体に形成された、箱型に組み立てられた状態から先に倒される前記一方の側壁側に位置する側壁側雌ヒンジ部材と、前記先に倒される側壁に形成された中仕切り部材側雄ヒンジ部材とをヒンジ連結するとともに、前記中仕切り部材を構成する中仕切り本体に形成された中仕切り本体側雄ヒンジ部材と、前記中仕切り部材を構成する連結体に形成された連結体側雌ヒンジ部材とをヒンジ連結したものであり、第２には、前記中仕切り部材を構成する中仕切り本体の中仕切り本体側雄ヒンジ部材と前記中仕切り部材を構成する連結体の連結体側雌ヒンジ部材とのヒンジ連結部が、前記中仕切り部材を構成する連結体に形成された、箱型に組み立てられた状態から先に倒される前記一方の側壁側に位置する側壁側雌ヒンジ部材と前記箱型に組み立てられた状態から先に倒される前記一方の側壁に形成された中仕切り部材側雄ヒンジ部材とのヒンジ連結部より、下方に位置するように構成したものであり、第３には、前記中仕切り部材を構成する連結体に形成された側壁側雌ヒンジ部材の略円筒状部のスリットに、先に倒される側壁に形成された中仕切り部材側雄ヒンジ部材の雄杆を、下方から嵌入するようにしたものである。
【発明の効果】
【０００９】
前記中仕切り部材を構成する連結体に形成された、箱型に組み立てられた状態から先に倒される前記一方の側壁側に位置する側壁側雌ヒンジ部材と、前記先に倒される側壁に形成された中仕切り部材側雄ヒンジ部材とをヒンジ連結するとともに、前記中仕切り部材を構成する中仕切り本体に形成された中仕切り本体側雄ヒンジ部材と、前記中仕切り部材を構成する連結体に形成された連結体側雌ヒンジ部材とをヒンジ連結したので、中仕切り部材に触れることなく、箱型に組み立てられた状態から先に倒される側壁を、底部方向に倒すことができ、従って、中仕切り部材付き折り畳みコンテナーの折り畳み作業の作業性が向上する。
【００１０】
前記中仕切り部材を構成する中仕切り本体の中仕切り本体側雄ヒンジ部材と前記中仕切り部材を構成する連結体の連結体側雌ヒンジ部材とのヒンジ連結部が、前記中仕切り部材を構成する連結体に形成された、箱型に組み立てられた状態から先に倒される前記一方の側壁側に位置する側壁側雌ヒンジ部材と前記箱型に組み立てられた状態から先に倒される前記一方の側壁に形成された中仕切り部材側雄ヒンジ部材とのヒンジ連結部より、下方に位置するように構成したので、箱型に組み立てられた中仕切り部材付き折り畳みコンテナーを折り畳む際には、先に倒される側壁が、底部方向に倒されても、中仕切り部材の中仕切り本体側雄ヒンジ部材と連結体の連結体側雌ヒンジ部材とのヒンジ連結部が、確実に、下方に移動することになるので、中仕切り部材の中仕切り本体側雄ヒンジ部材と連結体の連結体側雌ヒンジ部材とのヒンジ点の上動により、中仕切り部材が上動し、先に倒される側壁の底部方向への折り畳みが阻害されるようなことを防止することができる。
【００１１】
前記中仕切り部材を構成する連結体に形成された側壁側雌ヒンジ部材の略円筒状部のスリットに、先に倒される側壁に形成された中仕切り部材側雄ヒンジ部材の雄杆を、下方から嵌入するようにしたので、中仕切り部材付き折り畳みコンテナーが、折り畳まれた状態においても、また、中仕切り部材付き折り畳みコンテナーが、箱型に組み立てられた状態において、中仕切り部材が、上方に移動し、折り畳みコンテナー本体から外れるようなことを、確実に防止することができる。
【図面の簡単な説明】
【００１２】
【図１】図１は、本発明の中仕切り部材付き折り畳みコンテナーの中仕切り部材が配設されていない状態の斜視図である。
【図２】図２は、本発明の中仕切り部材付き折り畳みコンテナーを構成する短側壁の部分拡大斜視図である。
【図３】図３は、本発明の中仕切り部材付き折り畳みコンテナーを構成する中仕切り部材の斜視図である。
【図４】図４は、本発明の中仕切り部材付き折り畳みコンテナーを構成する中仕切り部材の分解斜視図である。
【図５】図５は、本発明の中仕切り部材付き折り畳みコンテナーを構成する中仕切り部材の部分拡大分解斜視図である。
【図６】図６は、本発明の中仕切り部材付き折り畳みコンテナーを構成する短側壁と中仕切り部材の部分拡大分解斜視図である。
【図７】図７は、本発明の中仕切り部材付き折り畳みコンテナーの斜視図である。
【図８】図８は、本発明の中仕切り部材付き折り畳みコンテナーを構成する短側壁と中仕切り部材とのヒンジ連結状態を示す部分拡大垂直断面図である。
【図９】図９は、図８と同様の、本発明の中仕切り部材付き折り畳みコンテナーを構成する短側壁と中仕切り部材とのヒンジ連結状態を示す部分拡大垂直断面図である。
【図１０】図１０は、本発明の中仕切り部材付き折り畳みコンテナーが箱型に組み立てられた状態の垂直断面図である。
【図１１】図１１は、本発明の中仕切り部材付き折り畳みコンテナーの折り畳み途中の垂直断面図である。
【図１２】図１２は、本発明の中仕切り部材付き折り畳みコンテナーが折り畳まれた状態の垂直断面図である。
【実施例】
【００１３】
以下に、本発明の実施例について説明するが、本発明の趣旨を越えない限り、何ら本実施例に限定されるものではない。
【００１４】
図１において、Ｃは、中仕切り部材付き折り畳みコンテナーを構成する折り畳みコンテナー本体であり、折り畳みコンテナー本体Ｃは、底部ｃ１と、底部ｃ１の相対する一方の土手部ｃ１ａにヒンジ連結された相対する長側壁ｃ２と、底部の相対するもう一方の土手部ｃ１ｂにヒンジ連結された相対する短側壁ｃ３とからなり、本実施例においては、長側壁ｃ２がヒンジ連結されている底部ｃ１の土手部ｃ１ａの高さが、短側壁ｃ３がヒンジ連結されている底部ｃ１の土手部ｃ１ｂの高さより高く構成されている。
【００１５】
箱型に組み立てられた状態の折り畳みコンテナー本体Ｃを、折り畳むには、先ず最初に、略垂直状態の短側壁ｃ３を、底部ｃ１に重なるように倒し、次いで、略垂直状態の長側壁ｃ２を、先に倒された短側壁ｃ３に重なるように倒すことにより、箱型に組み立てられた折り畳みコンテナー本体Ｃを、折り畳むことができるように構成されている。また、折り畳まれた状態の折り畳みコンテナー本体Ｃを、箱型に組み立てるには、先ず最初に、長側壁ｃ２を、略垂直に立て、その後、短側壁ｃ３を、略垂直に立てることにより、箱型に組み立てることができるように構成されている。
【００１６】
また、図２に示されているように、相対する短側壁ｃ３の適当な高さ、例えば、中程には、水平方向に、複数の横長のスリットｃ３ａが穿設されている。なお、本実施例には、２個のスリットｃ３ａが穿設されている例が示されている。また、スリットｃ３ａの相対する垂直縁に位置する短側壁ｃ３の内面（折り畳みコンテナーＣを箱型に組み立てた際に、内側に位置する面）ｃ３’には、内面ｃ３’に垂直に相対する突片ｈ１ａが突設されており、相対する突片ｈ１ａには、水平な棒状の雄杆ｈ１ｂが架橋されている。相対する突片ｈ１ａと水平な棒状の雄杆ｈ１ｂとにより、中仕切り部材側雄ヒンジ部材Ｈ１が構成されている。
【００１７】
次に、図３〜図５を用いて、１個の板状の中仕切り本体１と、該中仕切り本体１にヒンジ連結される一対の板状の連結体２とから構成されている中仕切り部材Ｐについて説明する。
【００１８】
中仕切り本体１は、平面形状が長方形状の中央梁部１ａと、中央梁部１ａの相対する短辺に、中央梁部１ａの長辺１ａ１に垂直に、且つ、その中央部が連接された側端梁部１ｂと、中央梁部１ａの相対する長辺１ａ１に、それぞれ、垂直に、且つ、その端部が、側部梁部１ｂの端部と一致するように延在する、適当数の中間梁部１ｃとから構成されている。本実施例においては、中央梁部１ａの一方の長辺１ａ１から２本の中間梁部１ｃが延在しており、また、中央梁部１ａのもう一方の長辺１ａ１から２本の中間梁部１ｃが延在しており、平面的に見て、中央梁部１ａを挟んで、線対称状に位置する中間梁部１ｃが、直線状に配置されている例が示されている。
【００１９】
側端梁部１ｂの両端部及び中間梁部１ｃの各端部には、中仕切り本体側雄ヒンジ部材Ｈ２が形成されている。側端梁部１ｂの両端部及び中間梁部１ｃの各端部に形成されている中仕切り本体側雄ヒンジ部材Ｈ２は、全て同じであるので、以下においては、側端梁部１ｂの一方の端部に形成されている中仕切り本体側雄ヒンジ部材Ｈ２について説明する。
【００２０】
側端梁部１ｂの端部には、凹部１ｂ１が形成されており、凹部１ｂ１を形成することにより、側端梁部１ｂの端部には、相対する突出部１ｂ２が形成されている。突出部１ｂ２の上面（中仕切り部材Ｐを、折り畳みコンテナー本体Ｃに配設した際に、上方に位置する面）１ｂ２’には、それぞれ、突片ｈ２ａが立設されており、相対する突片ｈ２ａには、水平な棒状の雄杆ｈ２ｂが架橋されている。相対する突片ｈ２ａと水平な棒状の雄杆ｈ２ｂとにより、上述した中仕切り本体側雄ヒンジ部材Ｈ２が構成されている。
【００２１】
連結体２は、中仕切り本体１の中央梁部１ａと平行に延在するように配置される、平面形状が長方形状の連結体本体部２ａを有している。また、連結体本体部２ａの相対する長辺２ａ１、２ａ２の一方の長辺２ａ１（中仕切り本体１に、連結体２がヒンジ連結された際に、中仕切り本体１側に位置する長辺）には、中仕切り本体１に、連結体２がヒンジ連結された際に、中仕切り本体１を構成する側端梁部１ｂの端部及び中間梁部１ｃの端部と対向するように、且つ、連結体本体部２ａを延在することにより、中仕切り本体側水平支持突片２ｂが、水平方向に突設されている。
【００２２】
上述した中仕切り本体側水平支持突片２ｂの上面（中仕切り部材Ｐを、折り畳みコンテナー本体Ｃに配設した際に、上方に位置する面）２ｂ１には、それぞれ、連結体側雌ヒンジ部材Ｈ３が形成されている。
【００２３】
連結体側雌ヒンジ部材Ｈ３は、中仕切り本体側水平支持突片２ｂの上面２ｂ１から、上方に延在するように連接された略円筒状部ｈ３を有しており、略円筒状部ｈ３の下方（連結体２が、略水平状態に位置する場合の下方）には、中仕切り本体側雄ヒンジ部材Ｈ２を構成する雄杆ｈ２ｂが、嵌入可能な、略円筒状部ｈ３の母線方向に延在するスリットｈ３ａが形成されている。このように、連結体側雌ヒンジ部材Ｈ３は、スリットｈ３ａが形成された略円筒状部ｈ３により構成されている。
【００２４】
連結体２の連結体本体部２ａの相対する長辺２ａ１、２ａ２のもう一方の長辺２ａ２（中仕切り本体１に、連結体２がヒンジ連結された際に、短側壁ｃ３側に位置する長辺）には、短側壁ｃ３に形成された中仕切り部材側雄ヒンジ部材Ｈ１と対向するように、且つ、連結体本体部２ａを延在することにより、短側壁側（箱型に組み立てられた状態から、先に倒される側壁側）水平支持突片２ｃが、水平方向に突設されている。
【００２５】
上述した短側壁側水平支持突片２ｃの上面（中仕切り部材Ｐを、折り畳みコンテナー本体Ｃに配設した際に、上方に位置する面）２ｃ１には、短側壁側（箱型に組み立てられた状態から、先に倒される側壁側）雌ヒンジ部材Ｈ４が、それぞれ形成されている。
【００２６】
短側壁側雌ヒンジ部材Ｈ４は、短側壁側水平支持突片２ｃの上面２ｃ１から、上方に延在するように連接された略円筒状部ｈ４を有しており、略円筒状部ｈ４の下方（連結体２が、略水平状態に位置する場合の下方）には、上述した短側壁ｃ３に形成された中仕切り部材側雄ヒンジ部材Ｈ１を構成する雄杆ｈ１ｂが、嵌入可能な、略円筒状部ｈ４の母線方向に延在するスリットｈ４ａが形成されている。このように、短側壁側雌ヒンジ部材Ｈ４は、スリットｈ４ａが形成された略円筒状部ｈ４により構成されている。
【００２７】
次に、中仕切り部材Ｐを構成する中仕切り本体１と連結体２とのヒンジ連結について説明する。
【００２８】
中仕切り部材Ｐを構成する中仕切り本体１の側端梁部１ｂの端部及び中間梁部１ｃの端部に形成された中仕切り本体側雄ヒンジ部材Ｈ２が、中仕切り部材Ｐを構成する連結体２の一方の長辺２ａ１に形成された連結体側雌ヒンジ部材Ｈ３と対向するように、且つ、中仕切り本体側雄ヒンジ部材Ｈ２が、連結体側雌ヒンジ部材Ｈ３の下方に位置するように配置する。その後、中仕切り本体側雄ヒンジ部材Ｈ２を上昇させて、中仕切り部材Ｐを構成する中仕切り本体１の側端梁部１ｂの端部及び中間梁部１ｃの端部に形成された中仕切り本体側雄ヒンジ部材Ｈ２の雄杆ｈ２ｂを、中仕切り部材Ｐを構成する連結体２の一方の長辺２ａ１に形成された連結体側雌ヒンジ部材Ｈ３の略円筒状部ｈ３の下方に形成されたスリットｈ３ａに嵌入することにより、中仕切り本体１と連結体２とをヒンジ連結する。このようにして、図３に示されているように、中仕切り本体１と連結体２とがヒンジ連結され、中仕切り部材Ｐが組み付けられることになる。
【００２９】
次に、中仕切り部材Ｐの折り畳みコンテナー本体Ｃを構成する短側壁ｃ３への取り付けについて説明する。
【００３０】
図６に示されているように、中仕切り部材Ｐを構成する連結体２のもう一方の長辺２ａ２に形成された短側壁側雌ヒンジ部材Ｈ４と短側壁ｃ３の内面ｃ３’に形成された中仕切り部材側雄ヒンジ部材Ｈ１とが、対向するように、且つ、短側壁側雌ヒンジ部材Ｈ４が、中仕切り部材側雄ヒンジ部材Ｈ１の上方に位置するように配置する。その後、短側壁側雌ヒンジ部材Ｈ４を下降させて、中仕切り部材Ｐを構成する連結体２に形成された短側壁側雌ヒンジ部材Ｈ４の略円筒状部ｈ４の下方に形成されたスリットｈ４ａに、短側壁ｃ３に形成された中仕切り部材側雄ヒンジ部材Ｈ１の雄杆ｈ１ｂを嵌入することにより、中仕切り部材Ｐを構成する連結体２が、短側壁ｃ３にヒンジ連結され、中仕切り部材Ｐが、短側壁ｃ３にヒンジ連結されることになる。
【００３１】
上述したように、折り畳みコンテナー本体Ｃの相対する短側壁ｃ３に、中仕切り部材Ｐをヒンジ連結することにより、図７に示されているように、中仕切り部材付き折り畳みコンテナー本体Ｃが構成されることになるが、中仕切り部材Ｐには、中仕切り本体１を構成する中央梁部１ａと側端梁部１ｂと該側端梁部１ｂと相対する中間梁部１ｃと連結体２とにより囲まれた、或いは、中央梁部１ａと相対する中間梁部１ｃと連結体２とにより囲まれた、箱型に組み立てられた折り畳みコンテナー本体Ｃに収容される物品Ｂが嵌合される物品嵌合窓部Ａ１が形成されている。なお、Ｄは、折り畳みコンテナー本体Ｃの底部ｃ１に載置される、発泡樹脂等で成形された下部仕切り板であり、下部仕切り板Ｄには、上記の物品嵌合窓部Ａ１に対応して、物品Ｂの下端部が嵌合される凹部ｄ１が形成されている。従って、物品Ｂの中程は、中仕切り部材Ｐにより保持され、また、物品Ｂの下端部は、下部仕切り板Ｄにより保持されるので、箱型に組み立てられた中仕切り部材付き折り畳みコンテナーの移送中や搬送中や運搬中等に、物品Ｂが移動するようなことを確実に防止することができる。
【００３２】
折り畳みコンテナー本体Ｃの相対する短側壁ｃ３に、中仕切り部材Ｐをヒンジ連結することにより、中仕切り部材付き折り畳みコンテナーが構成されることになるが、図８及び図９に示されているように、中仕切り部材Ｐを構成する中仕切り本体１に形成された中仕切り本体側雄ヒンジ部材Ｈ２と中仕切り部材Ｐを構成する連結体２に形成された連結体側雌ヒンジ部材Ｈ３とのヒンジ連結部Ｘ１が、中仕切り部材Ｐを構成する連結体２に形成された短側壁側雌ヒンジ部材Ｈ４と短側壁ｃ３に形成された中仕切り部材側雄ヒンジ部材Ｈ１とのヒンジ連結部Ｘ２より、下方に位置するように構成されている。
【００３３】
上述したように、中仕切り部材Ｐを構成する連結体２に形成された短側壁側雌ヒンジ部材Ｈ４の略円筒状部ｈ４のスリットｈ４ａに、短側壁ｃ３に形成された側壁側雄ヒンジ部材Ｈ１の雄杆ｈ１ｂが、下方から、嵌入されているので、中仕切り部材付き折り畳みコンテナーが、箱型に組み立てられた状態において、中仕切り部材Ｐが、上方に移動し、折り畳みコンテナー本体Ｃから外れるようなことを、確実に防止することができる。
【００３４】
また、中仕切り部材Ｐを構成する中仕切り本体１に形成された中仕切り本体側雄ヒンジ部材Ｈ２と中仕切り部材Ｐを構成する連結体２に形成された連結体側雌ヒンジ部材Ｈ３とのヒンジ連結部Ｘ１が、中仕切り部材Ｐを構成する連結体２に形成された短側壁側雌ヒンジ部材Ｈ４と短側壁ｃ３に形成された中仕切り部材側雄ヒンジ部材Ｈ１とのヒンジ連結部Ｘ２より、下方に位置するように構成されているので、箱型に組み立てられた中仕切り部材付き折り畳みコンテナーを折り畳む際には、先に倒される短側壁ｃ３が、底部ｃ１方向に倒されても、中仕切り部材Ｐの中仕切り本体側雄ヒンジ部材Ｈ２と連結体２の連結体側雌ヒンジ部材Ｈ３とのヒンジ連結部Ｘ１が、確実に、下方に移動することになるので、中仕切り部材Ｐの中仕切り本体側雄ヒンジ部材Ｈ２と連結体２の連結体側雌ヒンジ部材Ｈ３とのヒンジ連結部Ｘ１の上動により、中仕切り部材Ｐが上動し、短側壁ｃ３の底部ｃ１方向への折り畳みが阻害されるようなことを防止することができる。
【００３５】
次に、図１０〜図１２を用いて、箱型に組み立てられた中仕切り部材付き折り畳みコンテナーを、折り畳む工程について説明する。
【００３６】
物品Ｂが収容されていない、箱型に組み立てられた中仕切り部材付き折り畳みコンテナーにおいて、図１０に示されているように、中仕切り部材Ｐが略水平状態から、先ず最初に、先に倒される短側壁ｃ３を、底部ｃ１方向に倒すと、図１１に示されているように、中仕切り部材Ｐを構成する連結体２に形成された短側壁側雌ヒンジ部材Ｈ４と短側壁ｃ３に形成された中仕切り部材側雄ヒンジ部材Ｈ１とのヒンジ連結部Ｘ２を中心に、中仕切り部材Ｐを構成する連結体２と短側壁ｃ３とが、互いに、接近する方向に移動するとともに、中仕切り部材Ｐを構成する中仕切り本体１に形成された中仕切り本体側雄ヒンジ部材Ｈ２と中仕切り部材Ｐを構成する連結体２に形成された連結体側雌ヒンジ部材Ｈ３とのヒンジ連結部Ｘ１を中心に、連結体２と中仕切り本体１とが、互いに、接近する方向に移動するとともに、中仕切り本体１と連結体２とからなる中仕切り部材Ｐが、折り畳みコンテナー本体Ｃの底部ｃ１方向に垂直移動することになる。そして、図１２に示されているように、短側壁ｃ３が、略水平状態に倒された際には、連結体２が、中仕切り本体１に、略重ねられるとともに、中仕切り本体１が、折り畳みコンテナー本体Ｃの底部ｃ１に載置された下部仕切り板Ｄの上面に載置、或いは、接近して配置されて、中仕切り部材付き折り畳みコンテナーが折り畳まれることになる。
【００３７】
上述したように、箱型に組み立てられた中仕切り部材付き折り畳みコンテナーにおいて、中仕切り部材Ｐを構成する連結体２の短側壁側雌ヒンジ部材Ｈ４と短側壁ｃ３の中仕切り部材側雄ヒンジ部材Ｈ１とをヒンジ連結するとともに、中仕切り部材Ｐを構成する中仕切り本体１の中仕切り本体側雄ヒンジ部材Ｈ２と中仕切り部材Ｐを構成する連結体２の連結体側雌ヒンジ部材Ｈ３とをヒンジ連結したので、中仕切り部材Ｐに触れることなく、箱型に組み立てられた状態から先に倒される短側壁ｃ３を、底部ｃ１方向に倒すことができ、従って、中仕切り部材付き折り畳みコンテナーの折り畳み作業の作業性が向上する。
【符号の説明】
【００３８】
Ｃ・・・・・・・・・・・折り畳みコンテナー本体
ｃ１・・・・・・・・・・底部
ｃ２・・・・・・・・・・長側壁
ｃ３・・・・・・・・・・短側壁
Ｈ１・・・・・・・・・・中仕切り部材側雄ヒンジ部材
Ｈ２・・・・・・・・・・中仕切り本体側雄ヒンジ部材
Ｈ３・・・・・・・・・・連結体側雌ヒンジ部材
Ｈ４・・・・・・・・・・短側壁側雌ヒンジ部材
Ｐ・・・・・・・・・・・中仕切り部材
１・・・・・・・・・・・中仕切り本体
２・・・・・・・・・・・連結体
【図１】
2011116416.tif 000003
【図２】
2011116416.tif 000004
【図３】
2011116416.tif 000005
【図４】
2011116416.tif 000006
【図５】
2011116416.tif 000007
【図６】
2011116416.tif 000008
【図７】
2011116416.tif 000009
【図８】
2011116416.tif 000010
【図９】
2011116416.tif 000011
【図１０】
2011116416.tif 000012
【図１１】
2011116416.tif 000013
【図１２】
2011116416.tif 000014